【事件の表示】
　特願２０１５−２１０２９４号「遊技機」拒絶査定不服審判事件〔平成２９年５月１８日出願公開、特開２０１７−　７９９５７号〕について、次のとおり審決する。
【結　論】
　本件審判の請求は、成り立たない。
【理　由】
第１　手続の経緯
　本願は、平成２７年１０月２７日の出願であって、平成２８年１０月２８日付けで拒絶の理由が通知され、同年１２月２６日に意見書及び手続補正書が提出され、平成２９年５月１２日付けで拒絶の理由が通知され、同年７月２０日に意見書及び手続補正書が提出されたところ、同年８月９日付けで拒絶査定（以下、「原査定」という。）がなされ、それに対して、同年１１月１３日に拒絶査定不服審判の請求がなされると同時に手続補正がなされたものである。
第２　平成２９年１１月１３日付けの手続補正についての補正の却下の決定
［補正の却下の決定の結論］
　平成２９年１１月１３日付けの手続補正（以下「本件補正」という。）を却下する。
［理由］
１　補正の内容
　本件補正は、特許請求の範囲を補正する内容を含んでおり、本件補正により、本件補正前の平成２９年７月２０日付けの手続補正書における特許請求の範囲の請求項１の
「【請求項１】
　遊技者が操作可能な操作手段と、
態様を変化させることが可能な可動体と、
前記操作手段が操作されたことを検出する操作検出手段と、
前記可動体が所定の態様となったことを検出する態様検出手段と、
第一演出および第二演出を含む操作可動演出を実行する手段であって、前記操作検出手段によって操作手段の操作が検出されたことを契機として前記第一演出を実行し、前記態様検出手段によって前記可動体が前記所定の態様となったことが検出されたことを契機として前記第一演出とは異なる前記第二演出を実行する演出実行手段と、
を備え、
　前記第一演出は、前記操作手段から演出効果が発現される特定演出を含むことを特徴とする遊技機。」
は、
「【請求項１】
Ａ　遊技者が操作可能な操作手段と、
Ｂ　態様を変化させることが可能な可動体と、
Ｃ　前記操作手段が操作されたことを検出する操作検出手段と、
Ｄ　前記可動体が所定の態様となったことを検出する態様検出手段と、
Ｅ　
前記操作手段から演出効果が発現される演出態様を有する
前記可動体の態様によらず実行することが可能な
を開始させるとともに前記可動体の動作を開始させ
開始させる
Ｆ　を備え
る
に補正された（下線は、補正箇所を明示するために当審にて付した。また、当審においてＡ〜Ｆに分説した。）。
２　補正の適否
　願書に最初に添付された特許請求の範囲、明細書及び図面の段落【００４３】ないし【００４９】、図４等の記載に基づいて、本件補正は、「演出実行手段」において、補正前の請求項１に記載した発明を特定するために必要な事項である「第一演出」に関して、「操作手段から演出効果が発現される演出態様を有する」との特定事項の記載箇所を形式的に変更するとともに、「第二演出」に関して、「前記可動体の態様によらず実行することが可能な」と限定し、「操作検出手段によって操作手段の操作が検出されたことを契機」とするものが、「第一演出を開始させるとともに可動体の動作を開始させ」ることに限定するものであって、かつ、補正前の請求項に記載された発明と補正後の請求項に記載された発明の産業上の利用分野及び解決しようとする課題が同一であるので、特許法第１７条の２第５項第２号の特許請求の範囲の減縮を目的とするものである。
　そして、本件補正は、新規事項を追加するものではなく、特許法第１７条の２第３項に規定する要件を満たすものである。
３　独立特許要件
　そこで、本件補正後の請求項１に記載された発明（以下「本願補正発明」という。）が特許出願の際独立して特許を受けることができるものであるか（特許法第１７条の２第６項において準用する同法第１２６条第７項の規定に適合するか）について、以下に検討する。
（１）引用例１
ア　引用例１の記載事項
　原査定の拒絶の理由に引用文献１として引用された特開２０１５−９７８２７号公報（以下「引用例１」という。）には、図面とともに以下の（１−ａ）〜（１−ｊ）の事項が記載されている。
（１−ａ）「【０００１】
　
本発明は、パチンコ遊技機やパチスロ遊技機等の遊技機に関する。
（１−ｂ）「【００１２】
　
ガラス扉部１４の前面側には、
演出ボタン４６、及び、十字キーボタン５０が、配設されている。
（１−ｃ）「【００４２】
　なお、
演出制御部９０には、演出ボタン４６（図１参照）が押下操作されたことを検出する演出ボタン検出ＳＷ４６ａが接続されており、演出ボタン４６が押下されると、演出ボタン検出ＳＷ４６ａから演出制御部９０に対して信号が出力される。
・・・
【００４３】
　（３）可動役物装置の構造
　可動役物装置１１０は、図１，３〜８に示すように、
装飾体としての略円柱状の可動役物１１１を備え、
可動役物１１１は、図４のＡ，Ｂに示すように、先端部１１１ａ側を反時計回り方向の下方に倒し、さらに、図４のＢ、図５のＡに示すように、可動役物１１１の長手方向に沿った回動軸ＲＣを中心として、表示エリア２０ａを背面側に配置させるように回転し、さらに、図５のＡ，Ｂに示すように、表示エリア２０ａの背面側に配置されているハート型のギミック１６１を上方へ繰り出し、その後、順に逆戻りして、図４のＡの始動位置（傾動初期位置）ＫＦに復帰するように、動作する。
（１−ｄ）「【００４９】
　そして、支持軸１２６には、突起状の被検知部１２９を設けた回転板１３０が固定され、回転板１３０の周囲に、被検知部１２９により遮光された際に、ON信号を出力する光電センサ等からなる回動センサ１２７，１２８が回動軸ＲＣ周りで１８０°ずれて配設されている。回動センサ１２７は、可動役物１１１が正面を向いている原点位置（正面位置）Ｐ１への配置時に、被検知部１２９により遮光されてランプ制御部１００にON信号を出力し、
回動センサ１２８は、可動役物１１１が背面を向いている背面位置ＰＢへの配置時に、被検知部１２９により遮光されてランプ制御部１００にON信号を出力する
・・・
【００５２】
　また、ウォームホイールギヤ１４６には、突起状の被検知部１４９が配設され、その周囲には、被検知部１４９に遮光されてON信号をランプ制御部１００を出力可能な光電センサ等からなる傾動センサ１４７，１４８が配設されている。傾動センサ１４７は、可動役物１１１が傾動初期位置ＫＦにある時、被検知部１４９により遮光されて、ランプ制御部１００にON信号を出力するように配設され、
傾動センサ１４８は、可動役物１１１が傾動完了位置ＫＢにある時、被検知部１４９により遮光されて、ランプ制御部１００にON信号を出力する
【００５３】
　繰出装置１６０は、図５に示すように、
可動役物１１１が傾動完了位置ＫＢでかつ背面位置ＰＢに配置された際に
ハート型のギミック１６１を、装飾パネル１１４で覆われた繰出初期位置ＬＤから上方の繰出完了位置ＬＵまで繰り出す
（１−ｅ）「【００９２】
　［演出ボタン処理］
　演出ボタン処理（S1002）では、演出制御部９０は、図１９に示すように、
演出ボタン検出ＳＷ４６ａからの信号により、演出ボタン４６が押下されたか（ONされたか）否かを判定し（S1401）、ONされていなければ処理を終え、ONされていれば演出ボタンコマンドをセットする
（１−ｆ）「【０１４０】
　［可動役物演出処理］
　
可動役物演出処理（S3002）では、ランプ制御部１００は、演出制御部９０から受信した役物演出開始コマンドに基づき、図２７〜２９に示すように、回動センサ１２７，１２８、傾動センサ１４７，１４８、繰出センサ１７１の信号を入力しつつ、回動モータ１２２、傾動モータ１４３、及び、繰出モータ１６２を駆動させて、可動役物１１１を図４のＡ，Ｂ、図５のＡ，Ｂに示すように演出動作させる。
（１−ｇ）「【０１４７】
　なお、実施形態では、
この可動役物１１１の図４，５に示す演出動作は、遊技者に有利な特別遊技、すなわち、１５Ｒの大当たり遊技（通常及び確変の両者を含む）を実行可能に、大当たり判定処理（S409）で１５Ｒ大当たりと判定された際に、その大当たりを示唆する示唆演出として、実行されるものであり、さらに、演出ボタン４６の押下操作を条件に、動作されるものである。
（１−ｈ）「【０１５１】
　そして、
ランプ制御部１００は、ステップS3217での判定において、演出ボタン４６の押下操作に伴なう演出ボタンコマンドを受信すれば、演出開始フラグをONして（S3224）、傾動モータ１４３を正転駆動させる（S3225）。その結果、可動役物１１１は、図４のＡからＢに示すように、先端部１１１ａ側を元部１１１ｂの左横方向に倒し始める。
（１−ｉ）「【０１５６】
　一方、
ランプ制御部１００は、ステップS3225において、傾動モータ１４３を正転駆動させた後、可動役物（装飾体）１１１が始動位置（傾動開始位置）ＫＦから傾動完了位置ＫＢに配置されて、傾動センサ１４８が被検知部１４９に遮光されてON信号を出力すれば（S3226でYES）、図４のＡからＢに示す状態となって、可動役物１１１が傾動を完了させることから、傾動モータ１４３の駆動を停止し（S3227）、
【０１５７】
　そして、ランプ制御部１００は、ギミック１６１を繰り出すために、可動役物１１１を反転させるように、回動モータ１２２を反転駆動する（S3229）。その後、回動センサ１２８のON信号を受信して（S3230でYES）、可動役物（装飾体）１１１の反転が完了すれば、図４のＢから装飾パネル１１４が可動役物Ｉ１１の前面側に配置される図５のＡに示す状態となって、回動モータ１２２の駆動を停止し（S3231）、Ｌに２を入れ（S3232）、ギミック１６１を繰り出すように、繰出モータ１６２を正転駆動する（S3233）。
【０１５８】
　
その後、ランプ制御部１００は、ギミック１６１が繰出完了位置ＬＵに配置されたか否かを判定し（S3234）、
図５のＢに示すように、ギミック１６１が繰出完了位置ＬＵに配置されたことを検出すれば、繰出モータ１６２の駆動を停止し（S3235）、
【０１５９】
　
ステップS3237では、ギミック１６１の繰出完了位置ＬＵへの配置の余韻を遊技者に楽しませるように、停止時間（例えば、３秒）の経過の有無を判定し、停止時間が経過すれば
可動役物１１１を演出動作前の状態に戻すように、繰出モータ１６２を反転駆動する
【０１６０】
　その後、ランプ制御部１００は、繰出センサ１７１の信号に基づいて、図５のＡに示すように、ギミック１６１が繰出初期位置ＬＤに配置されたことを検出すれば（S3240でYES）、繰出モータ１６２の駆動を停止し（S3241）、Ｌに５を入れて（S3242）、
可動役物１１１を背面位置ＰＢから原点位置（正面位置）Ｐ１に戻すように、回動モータ１２２を正転駆動させ
（１−ｊ）「【０１６８】
　そして、
遊技者が、図３０の案内Ｇ１により、演出ボタン４６を押下操作
イ　認定事項
　上記「ア」から、次の（１−ｋ）〜（１−ｑ）の事項が認定できる。
（１−ｋ）
　段落【００１２】には、「ガラス扉部１４の前面側には、・・・演出ボタン４６、及び、十字キーボタン５０が、配設されている。」と記載され、段落【０１６８】には、「遊技者が、図３０の案内Ｇ１により、演出ボタン４６を押下操作」と記載されていることから、引用例１には、遊技者が押下操作可能な演出ボタン４６が記載されているといえる。
（１−ｌ）
　段落【００４３】には、「装飾体としての略円柱状の可動役物１１１を備え・・・可動役物１１１は、図４のＡ，Ｂに示すように、先端部１１１ａ側を反時計回り方向の下方に倒し、さらに、図４のＢ、図５のＡに示すように、可動役物１１１の長手方向に沿った回動軸ＲＣを中心として、表示エリア２０ａを背面側に配置させるように回転し、さらに、図５のＡ，Ｂに示すように、表示エリア２０ａの背面側に配置されているハート型のギミック１６１を上方へ繰り出し、その後、順に逆戻りして、図４のＡの始動位置（傾動初期位置）ＫＦに復帰するように、動作する。」と記載されていることから、引用例１には、先端部を下方に倒す動作及び長手方向に沿った回動軸を中心として回転する動作を行う可動役物１１１が記載されているといえる。
（１−ｍ）
　段落【００４２】には、「演出制御部９０には、演出ボタン４６（図１参照）が押下操作されたことを検出する演出ボタン検出ＳＷ４６ａが接続されており、演出ボタン４６が押下されると、演出ボタン検出ＳＷ４６ａから演出制御部９０に対して信号が出力される。」と記載されていることから、引用例１には、演出ボタン４６が押下操作されたことを検出する演出ボタン検出ＳＷ４６ａが記載されているといえる。
（１−ｎ）
　段落【００４９】には、「回動センサ１２８は、可動役物１１１が背面を向いている背面位置ＰＢへの配置時に、被検知部１２９により遮光されてランプ制御部１００にON信号を出力する」と記載され、段落【００５２】には、「傾動センサ１４８は、可動役物１１１が傾動完了位置ＫＢにある時、被検知部１４９により遮光されて、ランプ制御部１００にON信号を出力する」と記載され、段落【００５３】には、「可動役物１１１が傾動完了位置ＫＢでかつ背面位置ＰＢに配置された際に・・・ハート型のギミック１６１を、装飾パネル１１４で覆われた繰出初期位置ＬＤから上方の繰出完了位置ＬＵまで繰り出す」と記載されていることから、引用例１には、ギミック１６１を繰り出す際に、可動役物１１１が傾動完了位置ＫＢでかつ背面位置ＰＢであることを検知する傾動センサ１４８及び回動センサ１２８が記載されているといえる。
（１−ｏ）
　段落【０１４０】には、「可動役物演出処理（S3002）では、ランプ制御部１００は、演出制御部９０から受信した役物演出開始コマンドに基づき、図２７〜２９に示すように、回動センサ１２７，１２８、傾動センサ１４７，１４８、繰出センサ１７１の信号を入力しつつ、回動モータ１２２、傾動モータ１４３、及び、繰出モータ１６２を駆動させて、可動役物１１１を図４のＡ，Ｂ、図５のＡ，Ｂに示すように演出動作させる。」と記載され、段落【０１４７】には、「この可動役物１１１の図４，５に示す演出動作は、・・・その大当たりを示唆する示唆演出として、実行されるものであり、さらに、演出ボタン４６の押下操作を条件に、動作されるものである。」と記載され、段落【０１５６】−【０１５９】には、「ランプ制御部１００は、ステップS3225において、傾動モータ１４３を正転駆動させた後、可動役物（装飾体）１１１が始動位置（傾動開始位置）ＫＦから傾動完了位置ＫＢに配置されて・・・ランプ制御部１００は、ギミック１６１を繰り出すために、可動役物１１１を反転させるように、回動モータ１２２を反転駆動する（S3229）。・・・可動役物（装飾体）１１１の反転が完了すれば、・・・ギミック１６１を繰り出すように、繰出モータ１６２を正転駆動する（S3233）。・・・その後、ランプ制御部１００は、ギミック１６１が繰出完了位置ＬＵに配置されたか否かを判定し（S3234）・・・ギミック１６１の繰出完了位置ＬＵへの配置の余韻を遊技者に楽しませるように、停止時間（例えば、３秒）の経過の有無を判定し、停止時間が経過すれば・・・可動役物１１１を演出動作前の状態に戻すように、繰出モータ１６２を反転駆動する」と記載されていることから、引用例１には、演出ボタン４６の押下操作を条件に、ギミック１６１を繰り出す演出を含む可動役物１１１を用いた可動役物演出を実行するランプ制御部１００が記載されているといえる。
（１−ｐ）
　段落【００９２】には、「演出ボタン検出ＳＷ４６ａからの信号により、演出ボタン４６が押下されたか（ONされたか）否かを判定し（S1401）、ONされていなければ処理を終え、ONされていれば演出ボタンコマンドをセットする。」と記載され、段落【０１５１】には、「ランプ制御部１００は、ステップS3217での判定において、演出ボタン４６の押下操作に伴なう演出ボタンコマンドを受信すれば、演出開始フラグをONして（S3224）、傾動モータ１４３を正転駆動させる（S3225）。その結果、可動役物１１１は、図４のＡからＢに示すように、先端部１１１ａ側を元部１１１ｂの左横方向に倒し始める。」と記載され、段落【００５３】には、「可動役物１１１が傾動完了位置ＫＢでかつ背面位置ＰＢに配置された際に・・・ハート型のギミック１６１を、装飾パネル１１４で覆われた繰出初期位置ＬＤから上方の繰出完了位置ＬＵまで繰り出す」と記載され、段落【０１５６】−【０１６０】には、「可動役物（装飾体）１１１が始動位置（傾動開始位置）ＫＦから傾動完了位置ＫＢに配置されて、傾動センサ１４８が被検知部１４９に遮光されてON信号を出力すれば（S3226でYES）、図４のＡからＢに示す状態となって、可動役物１１１が傾動を完了させることから、傾動モータ１４３の駆動を停止し（S3227）、・・・可動役物１１１を反転させるように、回動モータ１２２を反転駆動する（S3229）。その後、回動センサ１２８のON信号を受信して（S3230でYES）、可動役物（装飾体）１１１の反転が完了すれば、図４のＢから装飾パネル１１４が可動役物Ｉ１１の前面側に配置される図５のＡに示す状態となって、回動モータ１２２の駆動を停止し（S3231）、Ｌに２を入れ（S3232）、ギミック１６１を繰り出すように、繰出モータ１６２を正転駆動する（S3233）・・・図５のＢに示すように、ギミック１６１が繰出完了位置ＬＵに配置されたことを検出すれば、繰出モータ１６２の駆動を停止し（S3235）、・・・ステップS3237では、ギミック１６１の繰出完了位置ＬＵへの配置の余韻を遊技者に楽しませるように、停止時間（例えば、３秒）の経過の有無を判定し・・・可動役物１１１を背面位置ＰＢから原点位置（正面位置）Ｐ１に戻すように、回動モータ１２２を正転駆動させ」と記載されていることから、引用例１には、演出ボタン検出ＳＷ４６ａからの信号により演出ボタン４６の押下されたことを判定した場合には、可動役物１１１を倒す動作を開始させ、可動役物１１１が傾動完了位置ＫＢかつ背面位置ＰＢであることを傾動センサ１４８及び回動センサ１２８で検知すると、ギミック１６１を繰り出す演出を行うランプ制御部が記載されているといえる。
（１−ｑ）
　段落【０００１】には、「本発明は、パチンコ遊技機やパチスロ遊技機等の遊技機に関する。」と記載されていることから、引用例１には、遊技機が記載されているといえる。
ウ　引用例１に記載された発明
　上記（１−ａ）〜（１−ｊ）の記載事項及び（１−ｋ）〜（１−ｑ）の認定事項を総合すると、引用例１には、次の発明が記載されていると認められる（以下「引用発明」という。）。
「ａ　遊技者が押下操作可能な演出ボタン４６と、（認定事項１−ｋ）
　ｂ　先端部を下方に倒す動作及び長手方向に沿った回動軸を中心として回転する動作を行う可動役物１１１と、（認定事項１−ｌ）
　ｃ　演出ボタン４６が押下操作されたことを検出する演出ボタン検出ＳＷ４６ａと、（認定事項１−ｍ）
　ｄ　ギミック１６１を繰り出す際に、可動役物１１１が傾動完了位置ＫＢでかつ背面位置ＰＢであることを検知する傾動センサ１４８及び回動センサ１２８と、（認定事項１−ｎ）
　ｅ　演出ボタン４６の押下操作を条件に、ギミック１６１を繰り出す演出を含む可動役物１１１を用いた可動役物演出を実行するランプ制御部１００であって、（認定事項１−ｏ）　演出ボタン検出ＳＷ４６ａからの信号により演出ボタン４６の押下されたことを判定した場合には、可動役物１１１を倒す動作を開始させ、可動役物１１１が傾動完了位置ＫＢでかつ背面位置ＰＢであることを傾動センサ１４８及び回動センサ１２８で検知すると、ギミック１６１を繰り出す演出を行うランプ制御部と、（認定事項１−ｐ）
　ｆ　を有する遊技機。（認定事項１−ｑ）」
（２）対比
　本願補正発明と引用発明とを対比する（下記の（ａ）〜（ｆ）は、引用発明の構成に対応している。）。
（ａ）引用発明の「遊技者が押下操作可能な演出ボタン４６」は、本願補正発明の「遊技者が操作可能な操作手段」に相当する。
（ｂ）引用発明における「可動役物１１１」は、先端部を下方に倒す動作及び長手方向に沿った回動軸を中心として回転する動作を行うことにより、その位置や角度を変化させて、「可動役物１１１」の異なった態様を遊技者に認識させるものであるから、引用発明の「先端部を下方に倒す動作及び長手方向に沿った回動軸を中心として回転する動作を行う」ことは、本願補正発明の「態様を変化させること」に相当する。
　よって、引用発明の「先端部を下方に倒す動作及び長手方向に沿った回動軸を中心として回転する動作を行う可動役物１１１」は、本願補正発明の「態様を変化させることが可能な可動体」に相当する。
（ｃ）引用発明の「演出ボタン４６が押下操作されたことを検出する演出ボタン検出ＳＷ４６ａ」は、本願補正発明の「前記操作手段が操作されたことを検出する操作検出手段」に相当する。
（ｄ）引用発明における「可動役物１１１が傾動完了位置ＫＢでかつ背面位置ＰＢであること」は、「可動役物１１１」が所定の位置で所定の向きにあることであり、「可動役物１１１」の態様の一つであるから、引用発明においては、「可動役物１１１」が所定の態様となったことを「傾動センサ１４８及び回動センサ１２８」が検出しているといえる。
　よって、引用発明の「ギミック１６１を繰り出す際に、可動役物１１１が傾動完了位置ＫＢでかつ背面位置ＰＢであることを検知する傾動センサ１４８及び回動センサ１２８」は、本願補正発明の「前記可動体が所定の態様となったことを検出する態様検出手段」に相当する。
（ｅ）引用発明の「ギミック１６１を繰り出す演出」と、本願補正発明の「第二演出」とは、所定の演出である点で共通し、また、引用発明の「可動役物演出」と、本願補正発明の「操作可動演出」とは、所定の演出を含む演出である点で共通する。
　よって、引用発明の「演出ボタン４６の押下操作を条件に、ギミック１６１を繰り出す演出を含む可動役物１１１を用いた可動役物演出を実行するランプ制御部」と、本願補正発明の「前記操作手段から演出効果が発現される演出態様を有する第一演出および前記可動体の態様によらず実行することが可能な第二演出を含む操作可動演出を実行する手段」とは、「所定の演出を含む演出を実行する手段」である点で一致する。
　そして、引用発明の「演出ボタン検出ＳＷ４６ａからの信号により演出ボタン４６の押下されたことを判定した場合には、可動役物１１１を倒す動作を開始させること」は、本願補正発明の「前記操作検出手段によって操作手段の操作が検出されたことを契機として」「前記可動体の動作を開始させ」ることに相当する。
　また、引用発明の「可動役物１１１が傾動完了位置ＫＢで反転されて背面位置ＰＢであることを傾動センサ１４８及び回動センサ１２８で検知すると、ギミック１６１を繰り出す演出を行う」ことと、本願補正発明の「前記態様検出手段によって前記可動体が前記所定の態様となったことが検出されたことを契機として」「前記第二演出を開始させる」こととは、「前記態様検出手段によって前記可動体が前記所定の態様となったことが検出されたことを契機として前記所定の演出を開始させる」ことである点で一致する。
　よって、引用発明の「演出ボタン検出ＳＷ４６ａからの信号により演出ボタン４６の押下されたことを判定した場合には、可動役物１１１を倒す動作を開始させ、可動役物１１１が傾動完了位置ＫＢでかつ背面位置ＰＢであることを傾動センサ１４８及び回動センサ１２８で検知すると、ギミック１６１を繰り出す演出を行うランプ制御部」と、本願補正発明の「前記操作検出手段によって操作手段の操作が検出されたことを契機として前記第一演出を開始させるとともに前記可動体の動作を開始させ、前記態様検出手段によって前記可動体が前記所定の態様となったことが検出されたことを契機として前記第一演出とは異なる前記第二演出を開始させる演出実行手段」とは、「前記操作検出手段によって操作手段の操作が検出されたことを契機として前記可動体の動作を開始させ、前記態様検出手段によって前記可動体が前記所定の態様となったことが検出されたことを契機として前記所定の演出を開始させる演出実行手段」である点で一致する。
（ｆ）引用発明の「遊技機」は、本願補正発明の「遊技機」に相当する。
　したがって、本願補正発明と引用発明とは、
「Ａ　遊技者が操作可能な操作手段と、
　Ｂ　態様を変化させることが可能な可動体と、
　Ｃ　前記操作手段が操作されたことを検出する操作検出手段と、
　Ｄ　前記可動体が所定の態様となったことを検出する態様検出手段と、
　Ｅ’所定の演出を含む演出を実行する手段であって、前記操作検出手段によって操作手段の操作が検出されたことを契機として前記可動体の動作を開始させ、前記態様検出手段によって前記可動体が前記所定の態様となったことが検出されたことを契機として前記所定の演出を開始させる演出実行手段と、
　Ｆ　を備える遊技機。」
である点で一致し、以下の点で相違する。
［相違点１］
　本願補正発明は、操作可動演出に「前記操作手段から演出効果が発現される演出態様を有する第一演出」を含むのに対して、引用発明はそのように構成されていない点。（構成Ｅ）
［相違点２］
　本願補正発明は、第二演出が「前記可動体の態様によらず実行することが可能な」ものであるとともに、「前記第一演出とは異なる」ものであるのに対して、引用発明の「所定の演出」はそのようなものではない点。（構成Ｅ）
［相違点３］
　本願補正発明は、「前記操作検出手段によって操作手段の操作が検出されたことを契機として前記第一演出を開始させるとともに前記可動体の動作を開始させ」るのに対して、引用発明は、操作検出手段によって操作手段の操作が検出されたことを契機として可動体の動作を開始させるものの、第一演出を開始するようには構成されていない点。（構成Ｅ）
（３）判断
ア　相違点１及び相違点３についての検討
　上記相違点１及び上記相違点３は、いずれも操作手段及び第一演出に関するものなので、まとめて検討する。
　遊技機において、操作手段での操作の検出に応じて、操作手段自体から演出の効果を発現させる態様の演出を行うことは周知技術（以下、「周知技術１」という。例．特開２０１５−１６７７５０号公報の段落【００３８】−【００３９】、【００６４】−【００７３】、【０１３１】、図６、特開２００９−２５４６３３号公報の段落【０１６７】−【０１６９】、【０２８９】−【０２９０】、特開２０１０−２５２９４９号公報の段落【０００４】−【０００９】、【０１７３】−【０１８１】等）である。
　そして、引用発明においては、操作検出手段によって操作手段の操作が検出されたことを契機として可動体の動作を開始させていることを参酌すれば、可動体の動作を開始させる際の操作手段の操作の検出の際に、周知技術である操作手段自体から演出の効果を発現させる態様の演出を行うように構成、すなわち、操作検出手段によって操作手段の操作が検出されたことを契機として、操作手段自体から演出の効果を発現させる態様の演出を開始させるとともに可動体の動作を開始させるように構成し、上記相違点１及び上記相違点３に係る本願補正発明の構成とすることは、当業者が周知技術１に基づいて容易になし得たことである。
イ　相違点２についての検討
　遊技機において、可動体を用いた演出を行う際に、可動体の動作にあわせて音声を出力する演出を行うことは周知技術（以下、「周知技術２」という。例．特開２００９−５０５４５号公報の段落【０３００】、図２０−２１、特開２０１５−１６５９０６号公報の段落【０３０７】−【０３１２】、特開２００４−２２９６８２号公報の段落【０００１】−【０００６】等）である。
　そして、このような音声を出力する演出は、可動体の位置や向き等の態様によらず実行することが可能であることは自明の事項である。また、可動体の動作にあわせて音声を出力する演出は、「前記操作手段から演出効果が発現される演出態様を有する」演出とは異なる演出であることは明らかである。
　よって、引用発明に当該周知技術２を適用し、引用発明において、態様検出手段によって可動体が所定の態様となったことが検出されたことを契機として開始させる所定の演出として、可動体の態様によらず実行することが可能な音声を出力する演出であって、操作手段から演出効果が発現される演出態様を有する演出とは異なる演出を行うように構成し、上記相違点２に係る本願補正発明の構成とすることは、当業者が周知技術２に基づいて容易になし得たことである。
ウ　本願補正発明が奏する効果について
　上記相違点１ないし３によって本願補正発明が奏する効果は、当業者が引用発明、周知技術１及び周知技術２から予測し得る程度のものであって、格別のものではない。
エ　請求人の主張について
　請求人は、審判請求書において「ここで、繰出演出について検討する。繰出演出は、引用文献１の図５Ｂに記載されるように、可動役物１１１に支持されたギミック１６１が、傾倒演出後の可動役物１１１に対して上方に向かって変位する演出であることが認められる。仮に、傾倒演出前の可動役物１１１（図１、図３Ａ、図４Ａ等に示される原位置に位置する可動役物１１１）に対して繰出演出が行われるとすると、ギミック１６１は、原位置に位置する可動役物１１１に対して右方に向かって変位するということになる。しかし、原位置に位置する可動役物１１１の右方には、ギミック１６１が繰り出すためのスペースが存在するとは認められない（図１、図３Ａ、図４Ａからすると、このようなスペースは存在しないと判断するのが妥当である）し、仮に当該スペースが存在するとしても、右方へ繰り出したギミック１６１は遊技者には視認困難な状態となるのであるから、このような演出を実行する意味はないというべきである。事実、引用文献１を通じて、可動役物１１１が原位置に位置する状態で、ギミック１６１を右方に繰り出す演出を発生させることについては記載されていない。
　つまり、繰出演出は、可動役物１１１が左に傾倒した状態（図５Ａに示す状態）となってはじめて実行することができる演出であると捉えられるものであるから、可動役物１１１の態様によらず実行することが可能な演出であるとは認められない。すなわち、引用文献１には、本願発明が特定する『可動体の態様によらず実行することが可能な第二演出』に相当する構成は開示されていない。
　また、周知技術を示す文献として提示された引用文献２〜４に、本願発明が特定する『可動体の態様によらず実行することが可能な第二演出』に相当する構成が開示されていないことは明らかである。
　このように、少なくとも、本願発明が特定する『可動体の態様によらず実行することが可能な第二演出』とした事項は、引用文献１〜４のいずれにも開示されていないから、その余の本願発明が特定する事項について引用文献１〜４に開示されているか否かを検討するまでもなく、本願発明が引用文献１〜４の存在を根拠として特許法第２９条第２項の規定により拒絶されるとする理由は成り立たない。」と主張しており（審判請求書の「（４）本願発明が特許されるべき理由」参照。）、引用文献１（引用例１）に記載の発明におけるギミックの繰出演出は、本願発明の第二演出のような可動体の態様によらず実行することが可能なものでは無く、引用文献１及び周知技術を示す文献として引用された引用文献２−４には「可動体の態様によらず実行することが可能な第二演出」が開示されていない旨を主張している。
　しかしながら、上記「イ　相違点２についての検討」において検討したように、遊技機において、可動体を用いた演出を行う際に、可動体の動作にあわせて音声を出力する演出を行うことは周知技術であることを参酌すれば、引用発明において、可動体が所定の態様となったことが検出された際に、可動体の態様によらずに実行が可能な音声を出力する演出を開始するように構成することは、当業者が容易になし得たことである。
　よって、請求人の上記主張は採用できない。
（４）まとめ
　以上のように、本願補正発明は、当業者が引用発明及び周知技術１及び周知技術２に基づいて容易に発明をすることができたものであるから、特許法第２９条第２項の規定により、特許出願の際独立して特許を受けることができない。
４　むすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正は、上記のとおり却下されたので、本願の請求項１に係る発明（以下、「本願発明」という。）は、平成２９年７月２０日付けの手続補正書により補正された、上記第２の１で示した特許請求の範囲の請求項１に記載されたとおりのものである。　
２　原査定の拒絶の理由
　原査定の拒絶の理由は、本願発明は引用例１に記載された発明及び周知技術に基づいて、その出願前にその発明の属する技術の分野における通常の知識を有する者が容易に発明をすることができたものであるから、特許法第２９条第２項の規定により特許を受けることができない、というものである。
３　引用例
　原査定の拒絶の理由に引用文献１として引用された引用例１の記載事項は、上記第２の３（１）に記載したとおりである。
４　対比・判断
　本願発明は、本願補正発明の発明特定事項から、上記第２の１の補正箇所を示す下線部のうち記載箇所を移動させた形式的な修正である「第一演出」に関するものを除く下線部の構成に係る限定事項を削除したものである。
　そうすると、本願発明の発明特定事項をすべて含み、さらに他の限定事項を付加したものに相当する本願補正発明が、上記第２の３（３）で検討したとおり、当業者が引用例１に記載された発明及び周知技術に基づいて容易に発明をすることができたものであるから、本願発明も同様の理由により、当業者が引用例１に記載された発明及び周知技術に基づいて容易に発明をすることができたものである。
第４　むすび　
　以上のとおりであるから、本願発明は、特許法第２９条第２項の規定により特許を受けることができない。
　したがって、本願は、拒絶されるべきものである。
　よって、結論のとおり審決する。